(57)【要約】【課題】  シートバックの背面から出っ張らずにティッシュボックスを収納でき、かつ収納状態でティッシュペーパーを自在に取り出して使用することができるシートバックのポケット構造を提供する。【解決手段】  シートバック１の背面に、シート内部に向かってティッシュボックス１２の高さ相当の深さに凹入形成したポケット収納部１１を設けるとともに、このポケット収納部１１に収納物を出し入れする第１の開口部１６と、ポケット収納部１１内にティッシュボックス１２を収納した状態でティシュボックス１２からティッシュペーパー１２ａを取り出すための第２の開口部１８とを形成した。【選択図】        図２
2005168788.tif 000002
【特許請求の範囲】
【請求項１】
シートバック背面にシートバック内部に向かって凹入形成したティッシュボックスの高さ相当の深さのポケット収納部と、ポケット収納部に収納物を出し入れする第１の開口部と、ポケット収納部に収納した状態のティッシュボックスのティッシュペーパー取り出し口に対向位置させてポケット収納部に形成した第２の開口部とを有することを特徴とするシートバックのポケット構造。
【請求項２】
第２の開口部を開閉自在に構成したことを特徴とする請求項１記載のシートバックのポケット構造。
【請求項３】
第１の開口部を開閉自在に構成したことを特徴とする請求項１または２記載のシートバックのポケット構造。
【発明の詳細な説明】
【技術分野】
【０００１】
本発明はシートバックのポケット構造に関し、シートバック背面にティッシュボックスを収納できるようにしたポケット構造に関するものである。
【背景技術】
【０００２】
従来、例えば図５（ａ）、（ｂ）に示すようなシートバック３１における表面構成として、図５（ｃ）に示すように、機能とデザインを考慮して、乗員の背中が接触する前面と背面の下端部をクッション材を内蔵した３層ラミネート構成の１又は複数種のファブリック表皮材３２、３３、３４を、周側面や背面はファブリック表皮材３５、３６を、下端面はシート材３７を張設したものが知られている。また、このようなシートバック３１において、その背面の表皮材３６の外側に、図５（ｂ）、（ｃ）に仮想線で示すようにポケット部３８を設け、このポケット部３８に新聞、雑誌、小物などを収納できるようにしたものもよく知られている。
【０００３】
ところが、そのような構成のポケット部３８に、奥行きや幅のある角張った小物や厚みのある小物を収納すると、ポケット部３８が外側に大きく膨出し、見栄えが悪いという問題があった。そこで、表皮材の内側に、奥行きや幅のある角張った小物や厚みのある小物を収納することができる第２のポケット部を設けるとともに、この第２のポケット部に連通する開口部を表皮材に形成し、かつ開口部をファスナーで開閉自在に構成したものが提案されている（特許文献１参照。）。
【特許文献１】特開２００２−２３８６９６号公報
【発明の開示】
【発明が解決しようとする課題】
【０００４】
ところが、上記特許文献１に開示された構成は、第２のポケット部にティッシュボックスを収納することも可能な構成であるが、ティッシュボックスを収納しておいて必要時にティッシュペーパーを使用しようとした場合には、収納されているティッシュボックスを一旦第２のポケット部から取り出した後ティッシュペーパー取り出す必要があり、さらに使用後は再びティッシュボックスを第２のポケット部に収納する必要があるため、手間がかかって不便であるという問題があった。
【０００５】
本発明は、上記従来の問題点に鑑み、シートバックの背面から出っ張らずにティッシュボックスを収納でき、かつ収納状態でティッシュペーパーを自在に取り出して使用することができるシートバックのポケット構造を提供することを課題とする。
【課題を解決するための手段】
【０００６】
本発明のシートバックのポケット構造は、シートバック背面にシートバック内部に向かって凹入形成したティッシュボックスの高さ相当の深さのポケット収納部と、ポケット収納部に収納物を出し入れする第１の開口部と、ポケット収納部内に収納した状態のティッシュボックスのティッシュペーパー取り出し口に対向位置させてポケット収納部に形成した第２の開口部とを有するものである。
【０００７】
この構成によると、ティッシュボックスを第１の開口部からポケット収納部に収納することで、ティッシュボックスをシートバック背面の後方に出っ張ることなく収納することができ、かつティッシュボックスを収納した状態で第２の開口部からティッシュペーパーを取り出すことができる。従って、ティッシュボックスをシートバックに見栄え良く収納しながら容易にティッシュペーパーを使用することができる。
【０００８】
また、第２の開口部を開閉自在に構成すると、第２の開口部を閉じることで、ティッシュペーパーを使用しないときの見栄えを良くすることができる。
【０００９】
また、第１の開口部を開閉自在に構成すると、第１の開口部を閉じることで、ティッシュボックスを収納したときのポケット部の撓みを抑制することができる。
【発明の効果】
【００１０】
本発明によれば、ティッシュボックスをシートバックの背面から出っ張らずに収納でき、かつその収納状態でティッシュペーパーを自在に取り出すことができ、シートバックの背面に見栄え良くかつ使い勝手良くティッシュボックスを収納することができる。
【発明を実施するための最良の形態】
【００１１】
以下、本発明のシートバックのポケット構造の一実施形態について、図１〜図４を参照して詳細に説明する。
【００１２】
図１において、１はシートバックで、図２に示すように、倒立Ｕ字状のシートバックフレーム２の前面側と上端部を覆うようにクッション材３が配設されている。シートバックフレーム２の上端部にはヘッドレスト（図示せず）から垂下されているヘッドレストステム５を挿通支持するスリーブ６が固着されている。また、シートバックフレーム２の左右側部材の間は、Ｓばねと呼ばれるばね弾性材８が幅方向に張設されている。そして、上記クッション材３はばね弾性材８より前面側に配設されている。
【００１３】
両側がシートバックフレーム２で、前面がばね弾性材８で、後面がシートバック１の背面上部表皮材９ａ及び背面下部表皮材９ｂとほぼ面一の面で区画された空間１０が形成され、この空間１０にポケット収納部１１が配設されている。このポケット収納部１１の前後方向の深さは、ティッシュボックス１２の高さにほぼ相当している。
【００１４】
ポケット収納部１１は、背面上部表皮材９ａ及び背面下部表皮材９ｂと略面一に配設されたポケット部表皮材１３と、外周縁部がポケット部表皮材１３に縫着されたポケット部形成袋材１４にて構成されている。また、ポケット部表皮材１３の内面に沿って適当な面剛性を有する成形板材から成る形状保持板１５が配置され、その上下縁がポケット部表皮材１３及びポケット部形成袋材１４と共縫着されている。
【００１５】
ポケット部表皮材１３の上縁と背面上部表皮材９ａとの間には、ポケット収納部１１内にティッシュボックス１２を収納するための第１の開口部１６が形成され、かつこの第１の開口部１６を開閉する開閉手段としてのファスナー１７が設けられている。
【００１６】
また、ポケット部表皮材１３には、ポケット収納部１１に収納したティッシュボックス１２のティッシュペーパー取り出し口に対向する位置に長方形状の第２の開口部１８が形成され、かつこの第２の開口部１８に可撓性のある内蓋シート１９を介して第２の開口部１８を開閉する開閉手段としてのファスナー２０が設けられている。なお、形状保持板１５は、第２の開口部１８に対向する部分を大きく開放する開口１５ａを有する枠形状に形成されている。また、形状保持板１５には、必要に応じて、ティッシュペーパー取り出し口が第２の開口部１８に確実に対向位置させるように、ポケット収納部１１に収納した状態のティッシュボックス１２の下端に係合してティッシュボックス１２の収納状態の高さ位置を規制する突部１５ｂを突設してもよい。
【００１７】
なお、図２、図３において、シートバック１における乗員の背中が接触する前面表皮材２１と、周側表皮材２２と、ポケット部表皮材１３と、背面下部表皮材９ｂは、クッション材を内蔵した３層ラミネート構成のファブリック表皮材にて構成されている。一方、背面上部表皮材９ａと内蓋シート１９はファブリック表皮材にて構成され、下端表皮材２３は不織布シートにて構成されている。また背面下部表皮材９ｂの下端には成形補強帯板２４が取付けられるとともに、一対のＶ字状のゴムバンド２５が取付られている。
【００１８】
以上の構成のシートバック１によれば、ティッシュボックス１２を第１の開口部１６からポケット収納部１１に収納することで、ティッシュボックス１２をシートバック１の背面の後方に出っ張ることなく収納することができ、かつポケット収納部１１にティッシュボックス１２を収納した状態で、図２に示すように、ティッシュペーパー１２ａを第２の開口部１８を通してティシュボックス１２から引き出して取り出すことができる。従って、ティッシュボックス１２をシートバック１に見栄え良く収納しながら便利にティッシュペーパー１２ａを使用することができる。
【００１９】
また、第１の開口部１６をファスナー１７にて開閉自在に構成しているので、第１の開口部１６を閉じることで、ティッシュボックス１２を収納したときのポケット収納部１１が後方に張り出すように撓むのを抑制して見栄えを良くすることができ、特に本実施形態ではポケット収納部１１のポケット部表皮材１３の内面に沿って形状保持板１５を配設しているので、シートバック１の背面の平面状態を確実に保持できるとともに、ティッシュボックス１２をポケット収納部１１内に挿入する際にもガイド板として機能して容易かつ円滑に挿入することができて、使い勝手が良好となる。また、第２の開口部１８をファスナー２０にて開閉自在に構成しているので、ティッシュペーパー１２ａを使用しないときにこの第２の開口部１８を閉じることで見栄えを良くすることができる。
【産業上の利用可能性】
【００２０】
本発明のシートバックのポケット構造は、ティッシュボックスをシートバックの背面に出っ張らずに見栄え良く収納することができ、かつ収納した状態でティッシュペーパーを取り出せるので、車両用シートなどに好適に利用できる。
【図面の簡単な説明】
【００２１】
【図１】本発明のシートバックのポケット構造の一実施形態を適用したシートバックを背面側から見た斜視図である。
【図２】図１のＡ−Ａ矢視断面図である。
【図３】同実施形態のシートバックの表皮部とポケット部の構成を示す図１のＡ−Ａ矢視模式断面図である。
【図４】同実施形態のポケット部の構成を示す図１のＢ−Ｂ矢視模式断面図である。
【図５】従来例のシートバックを示し、（ａ）は前面側から見た斜視図、（ｂ）は背面側から見た斜視図、（ｃ）は表皮部の構成を示す（ａ）のＣ−Ｃ矢視模式断面図である。
【符号の説明】
【００２２】
１  シートバック
１１  ポケット収納部
１２  ティッシュボックス
１６  第１の開口部
１７  ファスナー（開閉手段）
１８  第２の開口部
２０  ファスナー（開閉手段）
【図１】
2005168788.tif 000003
【図２】
2005168788.tif 000004
【図３】
2005168788.tif 000005
【図４】
2005168788.tif 000006
【図５】
2005168788.tif 000007